(57)【特許請求の範囲】
【請求項１】
入力側と出力側とを有するブリッジ整流器と、整流器の出力側の両端間に接続されたスイッチトキャパシタラインとを含み、スイッチトキャパシタラインは、キャパシタと、充電脚と、スイッチ式放電脚とを含み、充電脚は、トランジスタが導通しているとき、実質的に一定の充電電流を維持するように制御されるトランジスタを内蔵し、ブリッジ整流器からの出力が、所定値よりも大きく、キャパシタの出力より高いとき、一定電流におけるキャパシタの充電が生じ、一旦キャパシタの充電が整流器のキャパシタへの出力を超える点に達すると、充電が停止し、キャパシタの充電が維持されるようにスイッチ式放電脚が制御され、その後、スイッチ式放電脚のスイッチを制御してキャパシタの放電を許容することを特徴とする、電気変換に使用される装置。
【請求項２】
トランジスタのベースに印加される電圧が、少なくとも部分的に、ツェナーダイオードによって制御されるように、トランジスタが接続されていることを特徴とする、請求項１に記載の装置。
【請求項３】
トランジスタのベースに印加される電圧が、少なくとも部分的に、抵抗器に基づく分圧器を用いて制御されるように、トランジスタが接続されていることを特徴とする、請求項１に記載の装置。
【請求項４】
充電が生じる期間が、ブリッジ整流器からのピーク出力電圧に関して、実質的に対称であることを特徴とする、請求項１〜３のいずれか１項に記載の装置。
【請求項５】
電気機器または電子機器のための電源の一部を形成していることを特徴とする、請求項１〜４のいずれか１項に記載の装置。
【請求項６】
入力側と出力側とを有するブリッジ整流器と、整流器の出力側の両端間に接続されたスイッチトキャパシタラインとを準備することを含み、スイッチトキャパシタラインは、キャパシタと、充電脚と、スイッチ式放電脚とを含み、充電脚は、トランジスタを内蔵しており、トランジスタが導通しているとき、実質的に一定の充電電流を維持するように、トランジスタを制御し、ブリッジ整流器からキャパシタへの出力が、所定値よりも大きく、キャパシタの出力より高いとき、一定電流でのキャパシタの充電が生じ、一旦キャパシタの充電がキャパシタへの整流器の出力を超える点に達すると、充電が停止し、キャパシタの充電が維持されるようにスイッチ式放電脚が制御され、その後、スイッチ式放電脚のスイッチを制御してキャパシタの放電を許容することを特徴とする電気変換方法。
【請求項７】
充電が生じる期間が、ブリッジ整流器からのピーク出力電圧について、実質的に対称であることを特徴とする請求項６に記載の方法。
【発明の詳細な説明】
【技術分野】
【０００１】
本発明は、直流出力を提供するために交流電源の変換または整流に使用される方法および装置に関する。本装置は、たとえば、電気装置または電子装置の電源の一部を形成してもよい。
【背景技術】
【０００２】
交流信号を整流するために、変化する直流出力を生成するブリッジ整流器の使用がよく知られている。ブリッジ整流器の使用に関連する１つの不利益は、直流出力が著しく変化し、実質的に交流のピーク入力大きさとゼロの間で変化するということである。出力信号の変化を低減するために一般的に用いられる１つの技術は、ブリッジ整流器の出力側の両端間に接続され、出力信号を平滑化するために使用中に充電し放電する平滑化キャパシタを、回路に提供することである。そのような平滑化キャパシタの提供は多くの用途で満足のいくように機能するけれども、著しい出力変動または微小変動がなお存在している。さらに、キャパシタは、静電容量の点とその寸法の点とから、典型的に相対的に大きくなければならない。結果として、いくつかの用途においてそのようなキャパシタの収容は困難であるかも知れない。
【０００３】
上部に概説したタイプの回路配置の力率は、たとえば０．３から０．６の範囲では、典型的に比較的に低い。さらに、中または高電圧の用途では、特に関連する負荷が切替えられなければならないような場合には、高調波の発生によって、そのような高調波を抑制するために追加の回路を付与する必要性が生じ得、追加の複雑性と費用とを配置に付加する結果となる。
【発明の概要】
【０００４】
電気変換に使用される方法および装置であって、既知の変換機構が有する不利益のうち少なくとも幾つかが克服されているか減少する結果となるような方法および装置を提供することが本発明の目的である。
【０００５】
本発明の一態様によれば、入力側と出力側とを有するブリッジ整流器と、整流器の出力側の両端間に接続されたスイッチトキャパシタラインとを含み、スイッチトキャパシタラインは、キャパシタと、充電脚と、スイッチ式放電脚とを含み、充電脚は、トランジスタが導通しているとき、実質的に一定の充電電流を維持するように制御されるトランジスタを内蔵する、電気変換に使用される装置が提供されている。
【０００６】
キャパシタの充電が行われている期間中、実質的に一定の充電電流を維持することによって、充電の開始時のサージ電流の存在を避けることができる。
【０００７】
好都合には、トランジスタは、そのベースに印加される電圧が少なくとも部分的にツェナーダイオードによって制御されるように接続される。しかしながら、これは必ずしも必要ではなく、必要に応じて、適切に選択された構成要素を用いる抵抗器に基づく分圧器を用いることもできる。
【０００８】
そのような配置において、ブリッジ整流器からの出力が所定値よりも大きく、キャパシタの出力よりも高いとき、一定電流におけるキャパシタの充電が生じる。一旦キャパシタの充電が整流器の出力を超える点に達すると、充電が停止し、スイッチ式放電脚のスイッチが制御されてキャパシタの放電を許容するときまで、キャパシタの充電は維持される。
【０００９】
装置に用いられる構成要素の適切な選択によって、充電が生じる期間とキャパシタのピーク充電とを制御することができる。
【００１０】
本発明は、さらに、入力側と出力側とを有するブリッジ整流器と、整流器の出力側の両端間に接続されたスイッチトキャパシタラインとを準備することを含み、スイッチトキャパシタラインは、キャパシタと、充電脚と、スイッチ式放電脚とを含み、充電脚はトランジスタを内蔵しており、トランジスタが導通しているとき、実質的に一定の充電電流を維持するようにトランジスタを制御する、電気変換方法に関する。
【００１１】
本発明は、一例として、添付の図面に参照し、以下に説明される。
【図面の簡単な説明】
【００１２】
【図１】本発明の実施形態の装置を示す回路図である。
【図２】図１の装置の動作を示す図である。
【図３】図１の装置の動作を示す図である。
【発明を実施するための形態】
【００１３】
まず図１を参照すると、電気変換装置１０が示されており、その装置は、交流電源１６に接続された入力側１４と出力側１８とを有するブリッジ整流器１２を含む。出力側１８の両端間に接続されているのがスイッチトキャパシタライン２０である。
【００１４】
スイッチトキャパシタライン２０は、キャパシタ２２と、充電脚２４であって、これによってキャパシタ２２の充電が生じ得る、充電脚２４と、スイッチ式放電脚２６であって、これによって負荷２８を満たすようにキャパシタ２２が放電され得る、スイッチ式放電脚２６とを含む。
【００１５】
充電脚２４は、トランジスタ３０を含み、そのコレクタが抵抗器３２を介して高出力線または高出力側１８ａに接続され、そのエミッタがダイオード３４を介してキャパシタ２２に接続される。トランジスタ３０のベースは、ツェナーダイオード３６と、高出力線１８ａと接地線１８ｂとの間に接続された抵抗器３８とによって制御されたレベルに維持される。
【００１６】
スイッチ式放電脚２６は、適切なスイッチ４０とダイオード４２とを含む。スイッチ４０は、たとえば、適切に制御されたＭＯＳＦＥＴまたはＩＧＢＴを含んでもよい。
【００１７】
抵抗器３８は、高出力線１８ａの電圧が所定値を超えたとき、十分な電流がツェナーダイオード３６を通じて流れることを確保して、ツェナーダイオードが高出力線１８ａとトランジスタ３０のベースとの間の一定または実質的に一定の電位差を維持することを確保するように、選択される。その結果として、実質的に一定の電流が、抵抗器３２、トランジスタ３０およびダイオード３４を通じて流れ、キャパシタ２２を充電する。
【００１８】
図２に示され、第１モードまたは期間４４として識別されるように、そのような動作の間、キャパシタ２２の充電は、キャパシタの充電がブリッジ整流器１２の出力側１８からキャパシタへの供給を超える点に達するまで、一定のまたは実質的に一定な速度で継続する。モード４４の間、負荷２８はブリッジ整流器１２の出力から満足される。一旦この点に達すると、キャパシタ２２のさらなる充電は生じ得ない。負荷２８は、ブリッジ整流器１２の出力から満足され続ける。図２において第２モードまたは期間４６によって示されるように、キャパシタ２２の放電は、ダイオード３４と開放されたスイッチ４０とによって妨げられる。したがって、このモード４６の間、キャパシタ２２は充電されたままである。
【００１９】
次の時点において、スイッチ４０は閉じられ、キャパシタ２２の放電が開始することができ、キャパシタ２２からの放電が、この第３モードまたは期間４８の間、負荷２８を満たすように使用される。
【００２０】
モード４４，４６，４８の存続期間とキャパシタ２２の最大充電量とは、回路の構成要素の適切な選択とスイッチ４０の動作の適切な制御とによって制御される。一例として、抵抗器３２によって与えられる抵抗を変化させることによって、充電電流を変化させることができる。充電電流を減少させることによって、図３に示されるように、第１モード４４の持続期間を延長することができる。このような第１モード４４の持続期間の延長は、ブリッジ整流器からの出力電圧のピークについて、充電電流をおおよそ対称にする結果となる。さらに高められた対称性は、力率をさらに高める結果となり得る。
【００２１】
上記の記述では、トランジスタ３０が導通しているとき、トランジスタ３０を通じてキャパシタ２２に流れる実質的に一定の電流を維持するように、トランジスタ３０のベースに印加される電圧を制御する際にツェナーダイオード３６が使用されているが、これは必ずしも必要ではない。一例として、抵抗器３２の抵抗値が抵抗器３８の抵抗値よりもずっと小さいことを条件として、キャパシタ２２への実質的に一定の充電電流を依然として達成している間は、ツェナーダイオード３６は抵抗器に置換えることができる。
【００２２】
上記に概説された電気変換配置は、比較的少ない構成要素を使用するという点において有利であると理解されるであろう。キャパシタ２２は大きさを小さくすることができ、このようにして既知の配置に関連するパッケージング問題が克服されている。上述したように、キャパシタの充電電流が実質的に一定であるので、充電の開始時と終了時とに重大なサージが存在しない。配置は単一のスイッチの動作に対する制御を必要とするだけであり、それゆえ、比較的運転が簡単である。
【００２３】
好都合には、この装置は、たとえば、コンピュータ機器、テレビジョンまたはオーディオ機器などの民生用の電子装置とともに使用される、電気装置または電子装置の電源に組込まれてもよい。しかしながら、広範囲のその他の機器とともに使用され、または広範囲の他の機器に組込まれてもよいことは理解されるであろう。
【００２４】
上述の記載は、発明の特定の実施態様に関する。しかしながら、本発明はこの点に限定されるものではなく、添付の特許請求の範囲によって定義されるような発明の範囲から逸脱することなく修正されてもよい。
【図１】
0006703545.tif 000002
【図２】
0006703545.tif 000003
【図３】
0006703545.tif 000004